【事件の表示】
　平成　５年特許願第　２４３６５号「コンピュータとのインターフェイス等のためのタイプされたデータと光学的にスキャンされたデータの収集のための統合ステーション」拒絶査定に対する審判事件［平成　６年　３月１１日出願公開、特開平　６−　７００７５］について、次のとおり審決する。
【結　論】
　本件審判の請求は、成り立たない。
【理　由】
１．手続の経緯
　
　本願発明は、平成５年２月１２日（パリ条約による優先権主張１９９２年２月１３日、米国）の出願であって、平成５年７月２２日付けで手続補正がされ、平成９年４月２４日付けで拒絶査定がされ、これに対して、平成９年８月４日に審判請求がされた後、平成１１年１０月２０日、平成１３年６月１日及び平成１４年６月１８日付けで手続補正がされたものである。
　
　
２．本願発明
　
　本願発明は、明細書及び図面の記載からみて、上記平成１４年６月１８日付け手続補正書で手続補正された特許請求の範囲に記載されたとおりのものであって、その請求項１に記載された発明は次のとおりのもの（以下、「本願発明１」という。）である。
　
「【請求項１】
　標準的なキーボードの容器と同様の形状及び大きさを有する外部容器と、
　前記外部容器に収容された内部枠と、
　前記内部枠の側壁に支持されたキーボード支持パネル及びその上に設けられたキーからなるキーボードと、
　前記内部枠に収容され前記側壁によって支持された光学スキャナ用文書案内システムと、
　前記文書案内システムが、前記キーボード上端縁を越えた側に配設された文書供給口から始まり、そこから下向きとなり前記キーボード支持パネルの下側を横断して伸びて、最後に前記キーボード下端縁を越えた側に配設された文書排出口から出る平面状通路に沿って文書を駆動することと、
　前記キーボード上端縁と前記文書供給口の間で前記内部枠の側壁の間に配置され、前記平面状通路に沿って支持された光学的スキャン手段と、
　前記キーボード及び前記光学的スキャン手段の両者に接続された電子制御及び信号処理回路を含み、前記平面状通路と前記キーボード支持パネルの間で前記内部枠に収容され、前記キーボードのタイプにより発生された電子的データ及び前記光学的スキャン手段により発生された電子信号データを制御し外部コンピュータにインターフェイスするための印刷回路板とを備え、
　前記インターフェイスがマスターモード及びスレーブモードの一つでの通信を含み、前記マスターモードでは前記文書供給口への文書の挿入により前記光学的スキャン手段が自動的にスキャンを開始して前記コンピュータとの通信規約を開始し、前記コンピュータがスキャンしたデータを受信し受信したデータを格納して後に取り出すことができるようにされ、前記スレーブモードでは前記コンピュータが前記光学的スキャン手段によるスキャンを指令する、コンピュータとのインターフェイス等のためのタイプされたデータと光学的にスキャンしたデータの収集のための統合ステーション。」
３．引用例
　
　これに対して、当審で拒絶の理由に引用した特開昭６０−２３０７５８号公報（昭和６０年１１月１６日出願公開。以下、「刊行物１」という。）には、「情報入力装置」に関する発明において、図面と共に、以下の記載がある。
　
（Ａ）「コード情報とイメージ情報の両者を入力することができ、オフィス業務の作業性を向上させるとともに、それに伴う装置の大型化を抑えるため、装置本体の上面にキーボードを配設するとともに、その下方部にフィードローラ、光源、レンズ及び密着型長尺イメージセンサからなるファクシミリの原稿読取部を備えて一体化した情報入力装置を提供する」（第２頁上左欄１２行〜１９行）
（Ｂ）「第１図は本発明の一実施例を示し、装置本体１はキーボード２と、その下方にファクシミリの原稿読取部Ａが装置的に一体となって構成されている。原稿読取部Ａは原稿３を送給するためのフィールドローラ４と、送信原稿３を照射する光源として発光ダイオード（ＬＥＤ）を列状に配したＬＥＤアレイ５と、反射光を集光するためのセルフォックレンズ（商品名）６と、反射光を受けそれに対応する画像信号を出力する密着型長尺イメージセンサ７とから構成されている。」（第２頁上右欄３行〜１２行）
（Ｃ）「第２図は本発明に係る情報入力装置を卓上に設置した例を示し、机１７上に情報入力装置本体１と、制御装置２０と、制御装置２０の上に配置されたディスプレイ２１と、机１７の近傍にプリンタ２２が配されており、これら各装置間さらに他の端末装置（図示せず）へ電話回線等の通信回線２３で接続されている。（中略）制御部２０Ａは、第４図に示すように、キーボード２からのコード情報、原稿読取部Ａからのイメージ情報、更にはフロッピー１８等補助メモリからの情報を入力する入力インターフェース２０ａと、（中略）を有する。」（第２頁下左欄１３行〜下右欄１２行）
（Ｄ）「英文字、かな文字等のコード情報がキーボード２に入力されると、制御部２０Ａにより文書の作成、編集等各種機能が達成され、通信回線２３を介して各装置間に伝送される。一方、手書き文書等のイメージ情報に関しては、原稿３が装置本体１の入口部１５から原稿読取部Ａにフィードローラ４を介して送入されると、ＬＥＤアレイが原稿３が照射し、その反射光がセルフォックレンズ６を介して密着型長尺イメージセンサ７に集光される。このイメージセンサ７に集光された読取信号はメモリ２６に記憶され、符号化部２６で圧縮符号化され、変調部２７で変調された後回線２３へ送信される（これは、一般のファクシミリ機能である）。一方、読取信号を制御部２０Ａに与えた文字認識機能によってコード化することによりコード情報と同様に取り扱うことができる。原稿読取部Ａを通過して読取走査を終了した原稿３はローラ１４を経てキャッチトレイ１６に保持される。」（第２頁下右欄１９行〜第３頁上左欄１７行）
（Ｅ）キーボードが、原稿とほぼ同一幅である筐体の上面の全面に設けられる。また、入口部１５はキーボードの下端縁の手前側に設けられ、キャッチトレイ１６がキーボード上端縁の向こう側に設けられ、原稿の通路はキーボード下部となるため、装置上部からみると、原稿が通過する通路の空間的広がりとキーボード設置されるパネルの空間的広がりとがほぼ同一となる。（第１図および第２図）
　
　（Ａ）〜（Ｅ）の記載によると、刊行物１には、
「コード情報とイメージ情報の両者を入力することができ
原稿とほぼ同一幅である筐体の上面の全面に設けられたキーボードと、
原稿３を送給するためのフィールドローラ４と、送信原稿３を照射する光源として発光ダイオード（ＬＥＤ）を列状に配したＬＥＤアレイ５と、反射光を集光するためのセルフォックレンズ（商品名）６と、反射光を受けそれに対応する画像信号を出力する密着型長尺イメージセンサ７とから構成される原稿読取部Ａとを備え、
入口部１５はキーボードの下端縁の手前側に設けられ、キャッチトレイ１６がキーボード上端縁の向こう側に設けられ、原稿の通路はキーボード下部となる通路に沿って文書が駆動され、装置上部からみると、原稿が通過する通路の空間的広がりとキーボード設置されるパネルの空間的広がりとがほぼ同一であり、
制御装置２０は、キーボード２からのコード情報及び原稿読取部Ａからイメージ情報からの情報を入力する入力インターフェイスを有し、
キーボード２から入力されたコード情報は、制御装置２０の制御部２０Ａにより文書の作成、編集等各種機能が達成され、通信回線２３を介して各装置間に伝送されるとともに、イメージセンサ７に集光された読取信号を制御部２０Ａに与えた文字認識機能によってコード化することによりコード情報と同様に取り扱うことができる情報入力装置」の発明（以下、「刊行物１記載の発明」という。）が記載されている。
　
　また、同じく当審で拒絶の理由に引用した特開昭６２−１１６０５９号公報（昭和６２年５月２７日出願公開。以下、「刊行物２」という。）には、図面と共に、以下の記載がある。
（Ｆ）「本発明実施例に係る記録装置は、後述するように入力手段による入力操作に応じて記録紙等の記録媒体に記録を行う機能（以下タイプライタ機能という）と、原稿を走査して読み取り、読み取られた原稿をそれと同期して搬送される記録紙に記録する機能（以下複写機能という）を有するものである」（第２頁下左欄２行〜８行）
（Ｇ）「第２図〜第６図に詳細に図示されたように基台２０と外装２１によって構成される記録装置の筐体１０内には側板２２、２３が設けられており、その側板２２、２３には回転可能にメインローラ２４、２５がほぼ水平状態で、かつ若干離れた位置に配置されている」（第２頁下右欄７行〜１２行）
（Ｈ）「更に、メインローラ２４、２５に接する従動ローラ２７、２８の接触面の近傍に沿って原稿上案内板３７、下案内板３８がほぼ水平状態に設置されており、原稿１３はこれらの案内板３６、３７間にそって記録紙１４と逆方向に案内される。記録紙案内部材３５はその下方部が部分的に切り欠き屈曲部３５ａを形成しているので、上下案内板３６、３７で案内された原稿１３は、ローラ２４、２７及び２５、２８で挟持されてこの屈曲部３５ａに沿って案内されて、第３図に点線で図示されたようにトレー３８上にストックされる。」（第３頁上右欄１２行〜下左欄３行）
（Ｉ）「読み取りユニット４３により読み出された信号は、第５図、第６図に図示したように信号ケーブル７０を介してＲＡＭ（ランダムアクセスメモリ）８０に入力されＣＰＵ（中央演算装置）８１の制御のもとに信号処理される。（中略）また同様にＣＰＵ８１は信号ケーブル８３を介してキーボード１１、キャラクタジェネレータ８４、ＲＯＭ（リードオンリメモリ）８５、表示部１６が接続されている。また記録ユニット４４は信号ケーブル８３、８６を介してキャラクタジェネレータ８４、ＣＰＵ８１と接続されている。これらの電子回路は装置下方部に設けた回路基板９０上に配置される。」（第４頁上右欄１２行〜下左欄８行）
（Ｊ）「タイプライタ機能時には、（中略）又、入力文字はそれに対応してキャラクタジェネレータ８４から発生させ、それぞれ記憶ユニット４４あるいはＲＡＭ８０に送られる。」（第５頁上左欄９行〜１７行）
　
　　（Ｆ）〜（Ｊ）の記載、及び、量産化される電子製品に組み込まれた回路基板は、通常、印刷回路基板で構成されるという技術常識から、刊行物２には、
「上下案内板３７、３８がほぼ水平状態に設置され、平面上に文書が供給案内される平面状通路を形成し、
　ＣＰＵやＲＡＭなどの電子回路が装置下方部に設けた印刷回路基板９０上に配置され、
　該電子回路は、キーボード及び読み取りユニットの両者に接続されて、キーボード及び読み取りユニットで発生された信号を信号処理し、電子機能を共有することを可能とすること」（以下、「刊行物２記載の事項」という）が記載されている。
　
　同じく当審で拒絶の理由に引用した特開昭６４−６８１７４号公報（昭和６４年３月１４日出願公開。以下、「刊行物３」という。）には、図面と共に、以下の記載がある。
（Ｋ）「従来のイメージスキャナ機能付コンピュータのイメージスキャナ機能を利用する場合、利用者は原稿を給紙口にセットしてから１つ又は複数の命令を実行する必要があった。」（第１頁下左欄１８行〜下右欄１行）
（Ｌ）「本装置は原稿を給紙口に置くことによって、それまで実行していた処理動作を一時休止し、読取の為のプログラムの実行を開始する。」（第２頁上左欄８行〜１０行）
　
　（Ｋ）及び（Ｌ）の記載から、刊行物３には、
「スキャナがスキャンするモードには、
スキャナが自動的にスキャンを開始して、コンピュータにスキャンしたデータを送信するモードと、
コンピュータがスキャナによるスキャンを指令することにより、スキャンを開始して、コンピュータにスキャンしたデータを送信するモード
とがあること」（以下、「刊行物３記載の事項」という）が記載されている。
　
　
４．対比・判断
　
　本願発明１と刊行物１記載の発明とを対比すると、
　
（あ）刊行物１記載の発明の装置本体１の筐体は、原稿とほぼ同一幅である筐体の上面の全面に設けられたキーボードを備え、装置上部からみると、原稿が通過する通路の空間的広がりとキーボード設置されるパネルの空間的広がりとがほぼ同一であるから、「標準的なキーボード」及び「外部容器」の点を除き、本願発明１の「キーボードの容器と同様の形状及び大きさを有する容器」である点で相違しない。
　
（い）刊行物１記載の発明は、原稿とほぼ同一幅である筐体の上面の全面に設けられたキーボードと、原稿３を送給するためのフィールドローラ４と、送信原稿３を照射する光源として発光ダイオード（ＬＥＤ）を列状に配したＬＥＤアレイ５と、反射光を集光するためのセルフォックレンズ（商品名）６と、反射光を受けそれに対応する画像信号を出力する密着型長尺イメージセンサ７とから構成される原稿読取部Ａを備えているから、取付の構成は相違するが、「キーからなるキーボード」、「光学スキャナ用文書案内システム」及び「光学スキャン手段」を備えている点で、本願発明１と相違しない。
　
（う）刊行物１記載の発明は、情報入力装置がコード情報とイメージ情報の両者を入力することができ、接続された制御装置２０が情報入力装置のキーボード２からのコード情報及び情報入力装置の原稿読取部Ａからイメージ情報からの情報を入力する入力インターフェイスを有するものであるから、「コンピュータとのインターフェイス等のためのタイプされたデータと光学的にスキャンしたデータの収集のための統合ステーション」である点で本願発明１と相違しない。
　
　したがって、本願発明１と刊行物１記載の発明とは、
「キーボードの容器と同様の形状及び大きさを有する容器と、
　キーからなるキーボードと、
　光学スキャナ用文書案内システムと、
　光学的スキャン手段とを備えた、
　コンピュータとのインターフェイス等のためのタイプされたデータと光学的にスキャンしたデータの収集のための統合ステーション。」である点で一致し、次の点で相違する。
　
（相違点１）
　本願発明１は、外部容器が、標準的なキーボードの容器と同様の形状及び大きさを有すると共に、前記外部容器に収容された前記内部枠及び内部枠の側壁に支持されたキーボード支持パネルを備え、キーボードがその上に設けられ、光学スキャナ用文書案内システムが前記内部枠に収容され前記側壁によって支持され、光学的スキャン手段が前記キーボード上端縁と前記文書供給口の間で前記内部枠の側壁の間に配置され、そして、前記平面状通路に沿って支持される構成となっているの対して、刊行物１記載の発明ではこのような構成となっていない点。
　
（相違点２）
　本願発明１は、文書案内システムが、前記キーボード上端縁を越えた側に配設された文書供給口から始まり、そこから下向きとなり前記キーボード支持パネルの下側を横断して伸びて、最後に前記キーボード下端縁を越えた側に配設された文書排出口から出る平面状通路に沿って文書を駆動することとなっているのに対して、刊行物１記載の発明は、入口部１５はキーボードの下端縁の手前側に設けられ、キャッチトレイ１６がキーボード上端縁の向こう側に設けられ、原稿の通路はキーボード下部となる通路に沿って文書を駆動されている点。
　
（相違点３）
　本願発明１は、前記キーボード及び前記光学的スキャン手段の両者に接続された電子制御及び信号処理回路を含み、前記平面状通路と前記キーボード支持パネルの間で前記内部枠に収容され、前記キーボードのタイプにより発生された電子的データ及び前記光学的スキャン手段により発生された電子信号データを制御し外部コンピュータにインターフェイスするための印刷回路板とを備えているのに対して、刊行物１記載の発明は、印刷回路基板手段に関して、装置内部に設けられているか否か及びその構成が特定されていない点。
　
（相違点４）
　本願発明１は、インターフェイスがマスターモード及びスレーブモードの一つでの通信を含み、前記マスターモードでは前記文書供給口への文書の挿入により前記光学的スキャン手段が自動的にスキャンを開始して前記コンピュータとの通信規約を開始し、前記コンピュータがスキャンしたデータを受信し受信したデータを格納して後に取り出すことができるようにされ、前記スレーブモードでは前記コンピュータが前記光学的スキャン手段によるスキャンを指令するのに対して、刊行物１記載の発明は、これについて特定されていない点。
　
　そこで、相違点について、以下で検討する。
　
（相違点１の検討）
　相違点１に関しては、刊行物１記載の発明のキーボードは、制御装置２０に対してコード情報を入力するためのものであって、該制御装置２０の如きコンピュータに、コード入力するためのキーボードとして、標準的な形状及び大きさを有するキーボードを用いることは常套手段であるから、刊行物１記載の発明のキーボードが、その形状や大きさにおいて標準的なキーボードのものと同様なものであって、容器が標準的なキーボードの容器と同様の形状及び大きさを有することに、格別の技術的意義は認められない。
　
　電子機器装置が、該装置の筐体を外部容器で構成し、電子機器装置が外部容器に収容される内部枠を備えると共に、その内部枠の側壁等の壁面の間に、パネルや電子機器部材を配置・支持する構成とすることは常套手段である。
　そして、刊行物１記載の発明は、キーボードと、光学的スキャナ用文書案内システム及び光学的スキャナ手段を有する原稿読取部を備えており、キーボードが該キーボードをその上に設けるためのキーボード支持パネルを有することは明らかである。
　このため、刊行物１記載の発明において、外部容器に収容された内部枠及び内部枠の側壁に支持されたキーボード支持パネルを備え、キーボードがキーボード支持パネル上に設けられ、光学スキャナ用文書案内システムが内部枠に収容され側壁によって支持され、光学的スキャン手段が内部枠の側壁の間に配置されて支持される構成とすることは、当業者であれば格別の創意を要することなくなし得る事項である。
　
　光学的スキャン手段を設ける装置内の位置は、該光学的スキャン手段と接続される回路要素との距離や装置内に設置された機械要素の空きスペースなどに基づいて決定される事項にすぎないと共に、光学的スキャン手段をキーボード上端縁と文書排出口の間に設ける構成は刊行物２の第２図や第３図に記載されている。
　そして、相違点２で検討するごとく、原稿の給紙方向をキーボード上端部の向こう側からキーボード下端部の手前側へ給紙する方向とするならば、刊行物２記載のものの文書排出口の位置には文書供給口は配置されることになることは明らかである。
　このため、刊行物１に記載された発明において、印刷回路基板を設ける際に、平面状通路とキーボード支持パネルの間で内部枠に収容されるように設けることは、当業者が必要に応じて適宜なし得る事項であると認められる。
　
　さらに、刊行物１記載の発明は、原稿読取部Ａを反射光を受けそれに対応する画像信号を出力する密着型長尺イメージセンサ７から構成しており、該構成でイメージの読み取りを行うためには、該原稿読取部Ａが原稿が搬送される通路に沿って配置されなければならないことは明らかである。
　そして、相違点２で検討するごとく、原稿が搬送される通路を平面状通路とするならば、原稿読取部Ａが平面状通路に沿って配置される構成となることは明らかである。
　このため、刊行物１記載の発明において、光学的スキャン手段を平面状通に沿って支持することは、当業者であれば格別の創意を要することなくなし得る事項である。
　
　よって、刊行物１記載の発明を、外部容器が、標準的なキーボードの容器と同様の形状及び大きさを有すると共に、外部容器に収容された内部枠及び内部枠の側壁に支持されたキーボード支持パネルを備え、キーボードがキーボード支持パネル上に設けられ、光学スキャナ用文書案内システムが内部枠に収容され前記側壁によって支持され、光学的スキャン手段がキーボード上端縁と前記文書供給口の間で前記内部枠の側壁の間に配置され、そして、前記平面状通路に沿って支持される構成とすることは、当業者であれば格別の創意を要することなくなし得るものである。
　
（相違点２の検討）
　相違点２に関しては、原稿の給紙方向としては、キーボード上端部の向こう側からキーボード下端部の手前側へ給紙する方向は、キーボード下端部の手前側からキーボード上端部の向こう側へ給紙する方向と同様に、周知な給紙方向である（必要ならば、特開昭６３−８７８５６号公報などを参照）。
　また、紙の給紙通路を平面状通路とすることは、「上下案内板３７、３８がほぼ水平状態に設置され、平面状に文書が供給案内される平面状通路を形成すること」が刊行物２に記載されており、原稿を水平に送給した方がスムースに送給できることは明らかである。
　そして、刊行物１記載の発明のキーボードがキーボード支持パネルに支持される構成としたなら、原稿が給紙される通路がキーボード支持パネルの下側を横断して伸びるものとなることは明らかである。
　このため、刊行物１記載の発明において、原稿の給紙方向を、キーボード上端部の向こう側からキーボード下端部の手前側へ給紙する周知な給紙方向に変更すると共に、給紙通路を平面状とし、文書案内システムが、キーボード上端縁を越えた側に配設された文書供給口から始まり、そこから下向きとなりキーボード支持パネルの下側を横断して伸びて、最後にキーボード下端縁を越えた側に配設された文書排出口から出る平面状通路に沿って文書を駆動するように構成することは、当業者であれば格別の創意を必要とせずになし得る事項である。
　
（相違点３の検討）
　相違点３に関しては、ＣＰＵやＲＡＭなどの電子回路が装置下方部に設けた印刷回路基板９０上に配置され、該電子回路は、キーボード及び読み取りユニットの両者に接続されて、キーボード及び読み取りユニットで発生された信号を信号処理し、電子機能を共有することを可能とすることが刊行物２に記載されている。
　そして、刊行物１記載の発明においても、キーボード、原稿読取部Ａ、或いは、原稿３を送給する構成の動作を制御し、制御装置へ送信する信号を生成する信号処理や、生成した信号を制御して送信先の装置にインターフェイスする動作が行わねばならず、そのための電子回路は必須な構成であると共に、該電子回路を装置内部に設けることは常套手段である。
　このため、刊行物１記載の発明において、キーボード及び光学的スキャン手段の両者に接続された電子制御及び信号処理回路を含み、キーボードのタイプにより発生された電子的データ及び前記光学的スキャン手段により発生された電子信号データを制御し外部コンピュータにインターフェイスするための印刷回路板を備えるように構成することは、当業者であれば容易になし得る事項である。
　
　また、印刷回路基板を設ける装置内の位置は、該印刷回路基板と接続される回路要素との距離や装置内に設置された機械要素の空きスペースなどに基づいて決定される事項にすぎないから、刊行物１に記載された発明において、印刷回路基板を設ける際に、前記平面状通路と前記キーボード支持パネルの間で前記内部枠に収容されるように設けることは、当業者が必要に応じて適宜なし得る事項であると認められる。
　
　したがって、刊行物１記載の発明において、前記キーボード及び前記光学的スキャン手段の両者に接続された電子制御及び信号処理回路を含み、前記平面状通路と前記キーボード支持パネルの間で前記内部枠に収容され、前記キーボードのタイプにより発生された電子的データ及び前記光学的スキャン手段により発生された電子信号データを制御し外部コンピュータにインターフェイスするための印刷回路板を備える構成とすることは、当業者が容易になし得る事項である。
　
（相違点４の検討）
　相違点４に関しては、刊行物１記載の発明の如き、コンピュータ及び該コンピュータに接続された入力装置において、入力装置が、入力の開始と共にコンピュータとの通信規約を開始して入力した情報をコンピュータに送信する動作を行い、コンピュータが、入力した情報を後で取り出すころができるように格納する動作を行うこと、及び、コンピュータが、周辺機器である入力装置の動作を指令することができることは常套的に行われる事項である。
　また、原稿の読取装置が有するスキャンモードには、自動的にスキャンを開始してスキャンしたデータを送信するモードと、手動でスキャンを指令することによりスキャンを開始してスキャンしたデータを送信するモードとがあることは、刊行物３記載の事項に見られるごとく周知な事項であると共に、原稿の読取装置をはじめとする電子機器において、自動モードと手動モードの両モードを選択可能に設け、モードの選択により使用者がモードを選択できるように構成することは常套手段である。
　そして、刊行物１記載の発明の情報入力装置は、原稿読取部Ａで読み取ったイメージ情報を制御装置２０に送信する動作を奏していることから見て、原稿の読取装置に他ならないことは明らかである。
　このため、刊行物１記載の発明において、インターフェイスを設け、該インターフェイスがマスターモード及びスレーブモードの一つでの通信を含み、マスターモードでは文書供給口への文書の挿入により前記光学的スキャン手段が自動的にスキャンを開始してコンピュータとの通信規約を開始し、コンピュータがスキャンしたデータを受信し受信したデータを格納して後に取り出すことができるようにされ、スレーブモードではコンピュータが光学的スキャン手段によるスキャンを指令するように構成することは、当業者であれば格別の創意を要することなくなし得る事項である。
　
　そして、本願発明の構成によりもたらされる効果も、刊行物１記載の発明、並びに、刊行物２、３記載の事項、周知な事項、及び、常套手段から当業者が容易に予想し得る程度のものであり、格別のものではない。
　
　
５．むすび
　
　したがって、本願発明は、刊行物１記載の発明、並びに、刊行物２、３記載の事項、周知な事項、及び、常套手段に基づいて、当業者が容易に発明をすることができたものであり、特許法第２９条第２項の規定により特許を受けることができない。
　
　よって、結論のとおり審決する。